(57)【特許請求の範囲】
【請求項１】
折り畳まれた状態の大型折り畳みコンテナーに、折り畳まれた状態の小型折り畳みコンテナーが段積みされた際には、小型折り畳みコンテナーの底部の嵌合部が、折り畳まれた状態の大型折り畳みコンテナーの底部短側壁を挟んで位置する２つの端部係合ブロックの切り欠き段部に嵌合されるとともに、小型折り畳みコンテナーの底部の長辺を挟んで両端部に位置する角部付近が、前記端部係合ブロックの上面に載置され、且つ、小型折り畳みコンテナーの底部の短辺の両端部付近に形成された２個の凹部のうち、大型折り畳みコンテナーの中央部寄りに位置する凹部には、大型折り畳みコンテナーの底部長側壁に形成された中間ブロックの上面に突設された一対の嵌合凸部の一方の嵌合凸部が嵌合されるとともに、前記中間ブロックの嵌合凸部が嵌合された凹部側に位置する角部付近が、前記端部係合ブロックと同じ高さを有する前記中間ブロックの上面に載置されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図１０（ａ）に示されているように、平面形状が略長方形に形成された底部１の相対する長辺に、ヒンジ部を介して連結された長側壁２と、同じく、底部１の相対する短辺に、ヒンジ部を介して連結された短側壁３とからなる折り畳みコンテナー（以下、大型折り畳みコンテナーという。）Ｃ１が知られており、また、図１０（ｂ）に示されているように、上記の底部１より小さな、平面形状が略長方形に形成された底部１０の相対する長辺に、ヒンジ部を介して連結された、上記の短側壁３と略同じ長さを有する長側壁２０と、底部１０の相対する短辺に、ヒンジ部を介して連結された、上記の長側壁２の長さの略半分の長さを有する短側壁３０とからなる折り畳みコンテナー（以下、小型折り畳みコンテナーという。）Ｃ１０が知られている。
【０００３】
大型折り畳みコンテナーＣ１及び小型折り畳みコンテナーＣ１０は、共に、図１０（ａ）（ｂ）に示されている箱型に組み立てられた状態から、短側壁３、３０を内側に倒して、底部１、１０の上に重ね、次いで、同じく、長側壁２、２０を内側に倒して、底部１、１０及び短側壁３、３０の上に重ねることにより、図１２に示されているように、折り畳まれるように構成されている。
【０００４】
組み立てられた状態の大型折り畳みコンテナーＣ１の長側壁２及び短側壁３の上端部の内側角部には、それぞれ、切り欠き段部２ａ、３ａが形成されており、同様に、組み立てられた状態の小型折り畳みコンテナーＣ１０の長側壁２０及び短側壁３０の上端部の内側角部にも、それぞれ、切り欠き段部２０ａ、３０ａが形成されている。また、大型折り畳みコンテナーＣ１の底部１の裏面には、段積みした際に、下に位置する組み立てられた状態の大型折り畳みコンテナーＣ１の長側壁２の切り欠き段部２ａ及び短側壁３の切り欠き段部３ａに嵌合される後述する嵌合部が、底部１の周壁１ａの下端１ａ’を越えて下方に延在するように形成されている。同様に、小型折り畳みコンテナーＣ１０の底部１０の裏面にも、後述する嵌合部が、底部１０の周壁１０ａの下端１０ａ’を越えて下方に延在するように形成されている。
【０００５】
大型折り畳みコンテナーＣ１の底部１の長辺側の側壁（以下、底部長側壁という。）１ｂの高さは、短辺側の側壁（以下、底部短側壁という。）１ｃの高さより高く形成されており、また、底部長側壁１ｂの両端部には、内側に向いた切り欠き段部１ｄ’を有する端部係合ブロック１ｄが形成されている。切り欠き段部１ｄ’を有する端部係合ブロック１ｄの上面１ｄ”は、底部長側壁１ｂに沿った部分と、この底部長側壁１ｂに垂直で、底部短側壁１ｃに沿った部分とからなる、平面形状が略Ｌ字状に形成されている。
【０００６】
図１２に示されているような折り畳んだ状態の大型折り畳みコンテナーＣ１同士を段積みする際には、下に位置する折り畳んだ状態の大型折り畳みコンテナーＣ１の底部１に形成された端部係合ブロック１ｄの切り欠き段部１ｄ’に、上に位置する折り畳んだ状態の大型折り畳みコンテナーＣ１の底部１の裏面に形成された嵌合部が嵌合され載置されるように構成されている。
【０００７】
また、従来より、図１２に示されているように、下に位置する折り畳んだ状態の大型折り畳みコンテナーＣ１に、折り畳まれた状態の小型折り畳みコンテナーＣ１０を載置し、段積みすることが行われている。
【０００８】
【発明が解決しようとする課題】
一例として、図１２に示されているように、折り畳まれた状態の大型折り畳みコンテナーＣ１の上に、２個の折り畳まれた状態の小型折り畳みコンテナーＣ１０を段積みした際には、小型折り畳みコンテナーＣ１０の底部１０の裏面に形成され嵌合部の長辺１０ｂを挟んで位置する角部付近が、折り畳まれた状態の大型折り畳みコンテナーＣ１の底部１に形成された４つの端部係合ブロック１ｄのうち、底部短側壁１ｃを挟んで位置する２つの端部係合ブロック１ｄの切り欠き段部１ｄ’に嵌合されるとともに、小型折り畳みコンテナーＣ１０の底部１０の長辺１０ｂ側の両端部に位置する角部１０ｃ付近が、上記の端部係合ブロック１ｄの上面１ｄ”に載置されることになる。しかしながら、折り畳まれた状態の大型折り畳みコンテナーＣ１の底部１に形成された端部係合ブロック１ｄに嵌合、載置されなかった小型折り畳みコンテナーＣ１０の底部１０の角部１０ｃは、端部係合ブロック１ｄの上面１ｄ”より下方に位置する、折り畳まれた状態の大型折り畳みコンテナーＣ１の底部長側壁１ｂに載置されることになり、従って、折り畳まれた状態の小型折り畳みコンテナーＣ１０が、折り畳まれた状態の大型折り畳みコンテナーＣ１の中央部に向かって傾斜した状態で段積みされることになり、安定した状態で、折り畳まれた状態の大型折り畳みコンテナーＣ１の上に、折り畳まれた状態の小型折り畳みコンテナーＣ１０を段積みすることができないという問題があった。
【０００９】
また、折り畳まれた状態の小型折り畳みコンテナーＣ１０は、折り畳まれた状態の大型折り畳みコンテナーＣ１に対して、水平方向に移動しやすいので、端部係合ブロック１ｄに嵌合、載置されている折り畳まれた状態の小型折り畳みコンテナーＣ１０の底部１０が、端部係合ブロック１ｄから外れて、折り畳まれた状態の小型折り畳みコンテナーＣ１０が、折り畳まれた状態の大型折り畳みコンテナーＣ１の底部１や長側壁２に載置され、長側壁２が、段積みされ小型折り畳みコンテナーＣ１０の重さにより、損傷されるという問題があった。
【００１０】
本発明の目的は、上述した従来の折り畳みコンテナーが有する課題を解決することにある。
【００１１】
【課題を解決するための手段】
本発明は、上述した目的を達成するために、折り畳まれた状態の大型折り畳みコンテナーに、折り畳まれた状態の小型折り畳みコンテナーが段積みされた際には、小型折り畳みコンテナーの底部の嵌合部が、折り畳まれた状態の大型折り畳みコンテナーの底部短側壁を挟んで位置する２つの端部係合ブロックの切り欠き段部に嵌合されるとともに、小型折り畳みコンテナーの底部の長辺を挟んで両端部に位置する角部付近が、前記端部係合ブロックの上面に載置され、且つ、小型折り畳みコンテナーの底部の短辺の両端部付近に形成された２個の凹部のうち、大型折り畳みコンテナーの中央部寄りに位置する凹部には、大型折り畳みコンテナーの底部長側壁に形成された中間ブロックの上面に突設された一対の嵌合凸部の一方の嵌合凸部が嵌合されるとともに、前記中間ブロックの嵌合凸部が嵌合された凹部側に位置する角部付近が、前記端部係合ブロックと同じ高さを有する前記中間ブロックの上面に載置されるように構成したものである。
【００１２】
【実施例】
以下に、本発明の実施例について説明するが、本発明の趣旨を越えない限り何ら、本実施例に限定されるものでない。なお、上述した従来の大型折り畳みコンテナー及び小型折り畳みコンテナーと同じ構成部材については、同じ符号が使用されており、また、その詳細な説明は省略する。
【００１３】
本実施例の大型折り畳みコンテナーＣ１も、同様に、平面形状が略長方形に形成された底部１の相対する長辺に、ヒンジ部を介して連結された長側壁２と、同じく、底部１の相対する短辺に、ヒンジ部を介して連結された短側壁３とから形成されている。また、上述した大型折り畳みコンテナーＣ１と同様に、底部長側壁１ｂの高さは、底部短側壁１ｃの高さより高く形成されており、また、底部長側壁１ｂの両端部には、内側に向いた切り欠き段部１ｄ’を有する端部係合ブロック１ｄが形成されている。
【００１４】
本実施例においては、大型折り畳みコンテナーＣ１の底部長側壁１ｂの中央部の上面に、中間ブロック１ｅが形成されており、中間ブロック１ｅの上面１ｅ’は、上述した端部係合ブロック１ｄの上面１ｄ’と同じ高さを有している。また、中間ブロック１ｅの上面１ｅ’には、所定の間隔をおいて、一対の嵌合凸部１ｅ”が突設されている。なお、長側壁２には、図１、図２等に示されているように、長側壁２を、底部１に対して垂直に立てた場合に、長側壁２の下端部が、中間ブロック１ｅに当接しないように、長側壁２の下端部の中央部に、凹部２’が形成されている。
【００１５】
大型折り畳みコンテナーＣ１の裏面斜視図である図４に示されているように、底部１には、底部長側壁１ｂに沿って、下方が開放された凹溝１ｆが形成されており、凹溝１ｆには、所定の間隔で、底部長側壁１ｂに垂直な隔壁リブ１ｇが形成されている。底部長側壁１ｂの中央部に位置する一対の隣接する隔壁リブ１ｇ’により、凹溝１ｆの中央部には、嵌合凹部１ｈが形成されている。１ｉは、大型折り畳みコンテナーＣ１同士を段積みした際に、下に位置する組み立てられた状態の大型折り畳みコンテナーＣ１の長側壁２の切り欠き段部２ａ及び短側壁３の切り欠き段部３ａに嵌合される底部１の裏面に形成された、上述した嵌合部であり、底部１の周壁１ａの下端１ａ’を越えて下方に延在するように構成されている。なお、大型折り畳みコンテナーＣ１の底部１に形成された嵌合部１ｉの短辺１ｉ’に平行な中央領域には、小型折り畳みコンテナーＣ１０の長側壁２０が当接するように配置された２個の小型折り畳みコンテナーＣ１０の上に、大型折り畳みコンテナーＣ１を段積みした際に、当接した２個の小型折り畳みコンテナーＣ１０の長側壁２０の上端部が挿入される凹溝１ｊが形成されている。なお、嵌合部１ｉの裏面には、必要に応じて、交叉リブ１ｋが形成されている。
【００１６】
小型折り畳みコンテナーＣ１０の裏面斜視図である図１１に示されているように、小型折り畳みコンテナーＣ１０の底部１０の短辺１０ｄを挟んで位置する両端部付近には、凹部１０ｅが形成されている。１０ｆは、小型折り畳みコンテナーＣ１０同士を段積みした際に、下に位置する組み立てられた状態の小型折り畳みコンテナーＣ１０の長側壁２０の切り欠き段部２０ａ及び短側壁３０の切り欠き段部３０ａに嵌合される、上述した嵌合部であり、底部１０の周壁１０ａの下端１０ａ’を越えて下方に延在するように構成されている。なお、嵌合部１０ｆの裏面には、必要に応じて、交叉リブ１０ｇが形成されている。
【００１７】
図５に示されているように、折り畳まれた状態の大型折り畳みコンテナーＣ１に、折り畳まれた状態の小型折り畳みコンテナーＣ１０を段積みする際には、上述した従来の小型折り畳みコンテナーＣ１０と同様に、小型折り畳みコンテナーＣ１０の底部１０の裏面に形成され嵌合部１０ｆを、折り畳まれた状態の大型折り畳みコンテナーＣ１の底部短側壁１ｃを挟んで位置する２つの端部係合ブロック１ｄの切り欠き段部１ｄ’に嵌合するとともに、小型折り畳みコンテナーＣ１０の一方の長辺１０ｂ側の両端部に位置する角部１０ｃ付近を、上記の端部係合ブロック１ｄの上面１ｄ”に載置する。また、小型折り畳みコンテナーＣ１０の底部１０の短辺１０ｄを挟んで位置する両端部付近に形成された凹部１０ｅのうち、折り畳まれた状態の大型折り畳みコンテナーＣ１の中央部寄りに位置する凹部１０ｅには、大型折り畳みコンテナーＣ１の底部長側壁１ｂの中央部の上面に形成された中間ブロック１ｅの上面１ｅ’に突設された一対の嵌合凸部１ｅ”のうち、大型折り畳みコンテナーＣ１の底部短側壁１ｃ側に位置する嵌合凸部１ｅ”が嵌合されるとともに、上記の嵌合凸部１ｅ”が嵌合された凹部１０ｅ付近に位置する小型折り畳みコンテナーＣ１０の底部１０の角部１０ｃ付近を、上記の中間ブロック１ｅの上面１ｅ’に載置するように構成されている。
【００１８】
折り畳まれた状態の大型折り畳みコンテナーＣ１に段積みされた、折り畳まれた状態の小型折り畳みコンテナーＣ１０は、その底部１０の裏面に形成された嵌合部１０ｆが、折り畳まれた状態の大型折り畳みコンテナーＣ１の底部１に形成された端部係合ブロック１ｄの切り欠き段部１ｄ’に嵌合するように構成されているので、小型折り畳みコンテナーＣ１０が、折り畳まれた状態の大型折り畳みコンテナーＣ１の底部短側壁１ｃに沿う方向に移動しようとしても、小型折り畳みコンテナーＣ１０の底部１０の嵌合部１０ｆが、端部係合ブロック１ｄの底部長側壁１ｂに沿った部分に当接し、その移動が阻止されることになる。また、小型折り畳みコンテナーＣ１０が、大型折り畳みコンテナーＣ１の底部長側壁１ｂに沿う方向に移動しようとしても、小型折り畳みコンテナーＣ１０の底部１０の裏面に形成された嵌合部１０ｆが、端部係合ブロック１ｄの底部長側壁１ｂに垂直で、底部短側壁１ｃに沿った部分に当接するとともに、折り畳まれた状態の小型折り畳みコンテナーＣ１０の大型折り畳みコンテナーＣ１の中央部寄りに位置する凹部１０ｅには、大型折り畳みコンテナーＣ１の底部長側壁１ｂの中央部に形成された中間ブロック１ｅの上面１ｅ’に突設された一対の嵌合凸部１ｅ”のうち、大型折り畳みコンテナーＣ１の底部短側壁１ｃ側に位置する嵌合凸部１ｅ”が嵌合されているので、その移動が阻止されることになる。
【００１９】
上述したように、折り畳まれた状態の大型折り畳みコンテナーＣ１に、折り畳まれた状態の小型折り畳みコンテナーＣ１０を段積みする際に、小型折り畳みコンテナーＣ１０の底部１０の嵌合部１０ｆを、折り畳まれた状態の大型折り畳みコンテナーＣ１の底部短側壁１ｃを挟んで位置する２つの端部係合ブロック１ｄの切り欠き段部１ｄ’に嵌合するとともに、小型折り畳みコンテナーＣ１０の底部１０の長辺１０ｂを挟んで両端部に位置する角部１０ｃ付近を、上記の端部係合ブロック１ｄの上面１ｄ”に載置し、且つ、小型折り畳みコンテナーＣ１０の底部１０の短辺１０ｄの両端部付近に形成された２個の凹部１０ｅのうち、大型折り畳みコンテナーＣ１の中央部寄りに位置する凹部１０ｅには、大型折り畳みコンテナーＣ１の底部長側壁１ｂの中央部に形成された中間ブロック１ｅの嵌合凸部１ｅ”が嵌合するとともに、上記の中間ブロック１ｅの嵌合凸部１ｅ”が嵌合された凹部１０ｅ側に位置する角部１０ｃ付近を、端部係合ブロック１ｄと同じ高さの中間ブロック１ｅの上面１ｅ’に載置するように構成したので、折り畳まれた状態の小型折り畳みコンテナーＣ１０が、折り畳まれた状態の大型折り畳みコンテナーＣ１の中央部に向かって傾斜した状態で段積みされるようなことがなく、水平に段積みされるので、安定した状態で、折り畳まれた状態の大型折り畳みコンテナーＣ１の上に、折り畳まれた状態の小型折り畳みコンテナーＣ１０を段積みすることができる。
【００２０】
また、小型折り畳みコンテナーＣ１０の底部１０の短辺１０ｄの両端部付近に形成された凹部１０ｅのうち、折り畳まれた状態の大型折り畳みコンテナーＣ１の中央部寄りに位置する凹部１０ｅには、大型折り畳みコンテナーＣ１の底部長側壁１ｂの中央部に形成された中間ブロック１ｅの嵌合凸部１ｅ”が嵌合しているので、折り畳まれた状態の小型折り畳みコンテナーＣ１０が、折り畳まれた状態の大型折り畳みコンテナーＣ１に対して、水平方向に移動するようなことがない。
【００２１】
図８及び図９に示されている実施例は、折り畳まれた状態の大型折り畳みコンテナーＣ１に、３個の折り畳まれた状態の小型折り畳みコンテナーＣ１０を段積みした例であり、この場合には、大型折り畳みコンテナーＣ１の底部長側壁１ｂを三等分し、三等分された領域の境界部分に、上述した上面１ｅ’に一対の嵌合凸部１ｅ”が突設された中間ブロック１ｅが形成されることになる。そして、折り畳まれた状態の大型折り畳みコンテナーＣ１の両端部に段積みされる小型折り畳みコンテナーＣ１０’は、上述した、２個の折り畳まれた状態の小型折り畳みコンテナーＣ１０が、折り畳まれた状態の大型折り畳みコンテナーＣ１に段積みされた場合と同じであり、また、折り畳まれた状態の大型折り畳みコンテナーＣ１の中央部に段積みされた小型折り畳みコンテナーＣ１０”は、小型折り畳みコンテナーＣ１０の底部１０の短辺１０ｄ側に位置する裏面の両端部付近に形成された２個の凹部１０ｅが、大型折り畳みコンテナーＣ１の底部長側壁１ｂの三等分された領域の境界部分に位置する中間ブロック１ｅの上面１ｅ’に突設された嵌合凸部１ｅ”に、それぞれ、嵌合されることになる。
【００２２】
折り畳まれた状態の大型折り畳みコンテナーＣ１に、４個以上の折り畳まれた状態の小型折り畳みコンテナーＣ１０を段積みすることもでき、その場合にも、同様に、大型折り畳みコンテナーＣ１の底部長側壁１ｂの所定数に等分された領域の境界部分に、上面１ｅ’に一対の嵌合凸部１ｅ”が突設された中間ブロック１ｅを形成する。
【００２３】
【発明の効果】
本発明は、以上説明した構成を有しているので、以下に記載する効果を奏するものである。
【００２４】
折り畳みコンテナーに載置された小型折り畳みコンテナーが、折り畳みコンテナーの長側壁から外れて傾斜したり、折り畳みコンテナー内に落ち込んだりするようなことが防止でき、安定した状態で、折り畳みコンテナーの上に、小型折り畳みコンテナーを段積みすることができる。
【図面の簡単な説明】
【図１】図１は本発明の折り畳みコンテナーの斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの裏面斜視図である。
【図５】図５は本発明の折り畳まれた状態の折り畳みコンテナーと折り畳まれた状態の２つの小型折り畳みコンテナーとの段積みを説明するための斜視図である。
【図６】図６は本発明の折り畳まれた状態の折り畳みコンテナーと折り畳まれた状態の２つの小型折り畳みコンテナーとの部分拡大斜視図である。
【図７】図７は本発明の折り畳まれた状態の折り畳みコンテナーと折り畳まれた状態の２つの小型折り畳みコンテナーとが段積みされた状態の斜視図である。
【図８】図８は本発明の折り畳まれた状態の折り畳みコンテナーと折り畳まれた状態の３つの小型折り畳みコンテナーとが段積みされた状態の斜視図である。
【図９】図９は図８の正面図である。
【図１０】図１０は従来の折り畳みコンテナーと小型折り畳みコンテナーの斜視図である。
【図１１】図１１は従来の小型折り畳みコンテナーの裏面斜視図である。
【図１２】図１２は従来の折り畳まれた状態の折り畳みコンテナーと折り畳まれた状態の２つの小型折り畳みコンテナーとの段積みを説明するための斜視図である。
【符号の説明】
Ｃ１・・・・・・・・・・・折り畳みコンテナー
Ｃ１０・・・・・・・・・・小型折り畳みコンテナー
１・・・・・・・・・・・・底部
１ｅ・・・・・・・・・・・中間ブロック
１ｅ”・・・・・・・・・・嵌合凸部
【図１】
0004224193.tif 000002
【図２】
0004224193.tif 000003
【図３】
0004224193.tif 000004
【図４】
0004224193.tif 000005
【図５】
0004224193.tif 000006
【図６】
0004224193.tif 000007
【図７】
0004224193.tif 000008
【図８】
0004224193.tif 000009
【図９】
0004224193.tif 000010
【図１０】
0004224193.tif 000011
【図１１】
0004224193.tif 000012
【図１２】
0004224193.tif 000013